(57)【要約】【課題】着用時において尿パッドが男性器からずれ難く、尿漏れを有効に防止することが可能な男性用尿パッドを提供する。【解決手段】本発明の男性用尿パッド１ａは、吸収体２２、吸収体２２の一方の表面を被覆するように配置され、少なくとも一部が液透過性材料からなるトップシート１８、及び吸収体２２の他方の表面を被覆するように配置され、液不透過性材料からなるバックシート２０を有する吸収性本体１４と、吸収性本体１４の一方の端部側における、トップシート１８が配置された面側に配置され、その表面に着用者の男性器の少なくとも一部を収納して保持する窪み３２が形成された男性器保持部材３０とを備えている。男性器保持部材３０の窪み３２に男性器の陰茎を配置して装着することにより、男性器の動きに男性用尿パッド１ａが追従し、排尿口が尿パッドから外れてしまうような不具合を防ぐことができる。【選択図】図１Ｃ
2010279553.tif 000002
【特許請求の範囲】
【請求項１】
吸収体、前記吸収体の一方の表面を被覆するように配置され、少なくとも一部が液透過性材料からなるトップシート、及び前記吸収体の他方の表面を被覆するように配置され、液不透過性材料からなるバックシートを有する吸収性本体と、
前記吸収性本体の一方の端部側における、前記トップシートが配置された面側に配置され、その表面に着用者の男性器の少なくとも一部を収納して保持する窪みが形成された男性器保持部材と、を備えてなる男性用尿パッド。
【請求項２】
前記男性器保持部材は、前記吸収性本体の長手方向における長さが、５〜５０ｍｍである請求項１に記載の男性用尿パッド。
【請求項３】
前記男性器保持部材に形成された前記窪みの、前記吸収性本体の長手方向に直交する幅方向に沿って切断した断面における形状が、径の異なる円弧又は楕円弧を、前記窪みの底部に向かって二つ組み合わせた形状であり、
前記窪みの底部側の円弧又は楕円弧の径が、前記窪みの開口部側の円弧又は楕円弧の径よりも小である請求項１又は２に記載の男性用尿パッド。
【請求項４】
前記男性器保持部材に形成された前記窪みは、前記吸収性本体の長手方向に沿って溝状に形成されたものである請求項１〜３のいずれか一項に記載の男性用尿パッド。
【請求項５】
前記男性器保持部材に形成された前記窪みは、前記吸収性本体の長手方向に沿って、前記窪みの底部にて前記男性器保持部材を二つに分断するものである請求項４に記載の男性用尿パッド。
【請求項６】
前記男性器保持部材に形成された前記窪みは、前記窪みの底部に、前記吸収性本体の長手方向に直交する幅方向に沿って切断した断面における形状がＶ字型の溝が更に形成されている請求項４に記載の男性用尿パッド。
【請求項７】
前記吸収性本体は、前記窪みによって、前記吸収性本体の長手方向に沿って二つ折りに折り曲げることができるように構成されている請求項４〜６のいずれか一項に記載の男性用尿パッド。
【請求項８】
前記吸収性本体は、前記吸収性本体の長手方向に直交する幅方向における長さが、前記男性器保持部材の前記幅方向における長さよりも大である請求項１〜７のいずれか一項に記載の男性用尿パッド。
【請求項９】
前記男性器保持部材よりも幅広に構成された前記吸収性本体の側縁部分が、前記男性器保持部材の側縁の少なくとも一部を覆うように折り返されている請求項８に記載の男性用尿パッド。
【請求項１０】
前記吸収性本体は、前記男性器保持部材が配置された前記一方の端部とは反対側の他方の端部において、前記吸収性本体の側縁部分の一部が前記トップシートが配置された面側に折り返され、その折り返し部分が接合されている請求項１〜９のいずれか一項に記載の男性用尿パッド。
【発明の詳細な説明】
【技術分野】
【０００１】
本発明は、男性用尿パッドに関する。更に詳しくは、着用時において尿パッドが男性器からずれ難く、尿漏れを有効に防止することが可能な男性用尿パッドに関する。
【背景技術】
【０００２】
従来、乳幼児用、或いは高齢者・障害者等の成人用の尿パッドとして、トップシートと、バックシートと、両シートの間の一部に介装された吸収体とを備えた尿パッドが知られている。
【０００３】
この尿パッドは、トップシートの表面を着用者の肌に接するように宛がって使用することにより、着用者の排泄した尿はトップシートを透過して、吸収体によって吸収・保持されるとともに、防漏性に優れたバックシートによって、尿が外部に漏洩してしまうことが防止されている。
【０００４】
特に、男性用に特化した尿パッドとして、男性器を被包して用いるタイプが知られている（例えば、特許文献１参照）。このような男性用尿パッドは、例えば、矩形の形状の尿パッドを、粘着テープ等を利用して三角形に成型して男性器を被包した状態で用いるため、使い捨ておむつや、単に衣類やおむつ上に載置して用いる尿パッドと比較して、尿と着用者の肌との接触面積を少なくすることができる。
【０００５】
また、男性用尿パッドとしては、例えば、表面シートと裏面シートとの間に配設された吸収体を有し、吸収体の外側（外縁）に、長手方向（左右方向）に沿ってフラップ部が形成され、そのフラップ部の長手方向の略中央部に切り込み部（スリット）が形成されたもの（例えば、特許文献２参照）や、予め袋状に成型されたもの（例えば、特許文献３参照）も提案されている。
【先行技術文献】
【特許文献】
【０００６】
【特許文献１】特開平８−２８０７２７号公報
【特許文献２】特開２００１−１２９０１２号公報
【特許文献３】特開平９−２９９３９２号公報
【発明の概要】
【発明が解決しようとする課題】
【０００７】
しかしながら、上述した特許文献１に記載の男性用尿パッドは、装着に非常に手間が掛かることや、男性器から男性用尿パッドが抜け易いという問題があった。また、上述した特許文献２及び３に記載の男性用尿パッドは、構造が複雑であるため、製造工程が煩雑であり、コスト高であるという問題があった。
【０００８】
更に、従来の男性用尿パッドは、日常生活を営む男性が軽度の失禁対策として用いる場合には、上記各特許文献に記載の尿パッドでは大きく嵩張るため、携帯することに適していないという問題があった。また、男性用尿パッドを男性器の先端に宛がうようなタイプのものは、着用中に男性器が動くことによって排尿口がパッドから外れてしまうことがあり、尿漏れを生じ易いという問題があった。
【０００９】
本発明は、このような従来技術の課題を解決するためになされたものであって、着用時において尿パッドが男性器からずれ難く、尿漏れを有効に防止することが可能な男性用尿パッドを提供するものである。
【課題を解決するための手段】
【００１０】
本発明者は、前記のような従来技術の課題を解決するために鋭意検討した結果、トップシート、吸収体、及びバックシートからなる吸収性本体の一方の端部に、男性器を保持するための窪みが形成された男性器保持部材を配設することによって、上記課題が解決されることに想到し、本発明を完成させた。具体的には、本発明により、以下の男性用尿パッドが提供される。
【００１１】
［１］  吸収体、前記吸収体の一方の表面を被覆するように配置され、少なくとも一部が液透過性材料からなるトップシート、及び前記吸収体の他方の表面を被覆するように配置され、液不透過性材料からなるバックシートを有する吸収性本体と、前記吸収性本体の一方の端部側における、前記トップシートが配置された面側に配置され、その表面に着用者の男性器の少なくとも一部を収納して保持する窪みが形成された男性器保持部材と、を備えてなる男性用尿パッド。
【００１２】
［２］  前記男性器保持部材は、前記吸収性本体の長手方向における長さが、５〜５０ｍｍである前記［１］に記載の男性用尿パッド。
【００１３】
［３］  前記男性器保持部材に形成された前記窪みの、前記吸収性本体の長手方向に直交する幅方向に沿って切断した断面における形状が、径の異なる円弧又は楕円弧を、前記窪みの底部に向かって二つ組み合わせた形状であり、前記窪みの底部側の円弧又は楕円弧の径が、前記窪みの開口部側の円弧又は楕円弧の径よりも小である前記［１］又は［２］に記載の男性用尿パッド。
【００１４】
［４］  前記男性器保持部材に形成された前記窪みは、前記吸収性本体の長手方向に沿って溝状に形成されたものである前記［１］〜［３］のいずれかに記載の男性用尿パッド。
【００１５】
［５］  前記男性器保持部材に形成された前記窪みは、前記吸収性本体の長手方向に沿って、前記窪みの底部にて前記男性器保持部材を二つに分断するものである前記［４］に記載の男性用尿パッド。
【００１６】
［６］  前記男性器保持部材に形成された前記窪みは、前記窪みの底部に、前記吸収性本体の長手方向に直交する幅方向に沿って切断した断面における形状がＶ字型の溝が更に形成されている前記［４］に記載の男性用尿パッド。
【００１７】
［７］  前記吸収性本体は、前記窪みによって、前記吸収性本体の長手方向に沿って二つ折りに折り曲げることができるように構成されている前記［４］〜［６］のいずれかに記載の男性用尿パッド。
【００１８】
［８］  前記吸収性本体は、前記吸収性本体の長手方向に直交する幅方向における長さが、前記男性器保持部材の前記幅方向における長さよりも大である前記［１］〜［７］のいずれかに記載の男性用尿パッド。
【００１９】
［９］  前記男性器保持部材よりも幅広に構成された前記吸収性本体の側縁部分が、前記男性器保持部材の側縁の少なくとも一部を覆うように折り返されている前記［８］に記載の男性用尿パッド。
【００２０】
［１０］  前記吸収性本体は、前記男性器保持部材が配置された前記一方の端部とは反対側の他方の端部において、前記吸収性本体の側縁部分の一部が前記トップシートが配置された面側に折り返され、その折り返し部分が接合されている前記［１］〜［９］のいずれかに記載の男性用尿パッド。
【発明の効果】
【００２１】
本発明の男性用尿パッドは、極めて簡素な構成であるとともに、着用時において尿パッドが男性器からずれ難く、尿漏れを有効に防止することができる。即ち、上記した男性器保持部材の窪みに男性器の少なくとも一部（例えば、陰茎）が収納された状態で尿パッドを着用することができるため、尿パッドがずれ難くなり、このようなずれに伴う尿漏れを有効に防止することができる。また、本発明の男性用尿パッドは、極めて簡単に着用することができ、また、外出先等への携帯にも非常に便利であるため、例えば、日常生活を営む男性が軽度の失禁対策用の男性用尿パッドとして好適に用いることができる。
【図面の簡単な説明】
【００２２】
【図１Ａ】本発明の男性用尿パッドの一の実施形態を模式的に示す平面図であり、トップシート側の面を示す図である。
【図１Ｂ】図１Ａに示す男性用尿パッドのＡ−Ａ’断面を模式的に示す断面図である。
【図１Ｃ】図１Ａに示す男性用尿パッドの斜視図である。
【図２】本発明の男性用尿パッドの他の実施形態を模式的に示す断面図である。
【図３】本発明の男性用尿パッドの他の実施形態を模式的に示す断面図である。
【図４】本発明の男性用尿パッドの他の実施形態を模式的に示す断面図である。
【図５】本発明の男性用尿パッドの更に他の実施形態を模式的に示す断面図である。
【図６】本発明の男性用尿パッドの更に他の実施形態を模式的に示す断面図である。
【図７】本発明の男性用尿パッドの更に他の実施形態を模式的に示す斜視図である。
【図８】本発明の男性用尿パッドの更に他の実施形態を模式的に示す斜視図である。
【発明を実施するための形態】
【００２３】
以下、本発明の男性用尿パッドを実施するための形態について、図面を参照しながら具体的に説明する。但し、本発明はその発明特定事項を備える男性用尿パッドを広く包含するものであり、以下の実施形態に限定されるものではない。
【００２４】
〔１〕男性用尿パッド：
本発明の男性用尿パッドは、図１Ａ〜図１Ｃに示すように、吸収体２２、吸収体２２の一方の表面を被覆するように配置され、少なくとも一部が液透過性材料からなるトップシート１８、及び吸収体２２の他方の表面を被覆するように配置され、液不透過性材料からなるバックシート２０を有する吸収性本体１４と、吸収性本体１４の一方の端部側における、トップシート１８が配置された面側に配置され、その表面に着用者の男性器の少なくとも一部を収納して保持する窪み３２が形成された男性器保持部材３０と、を備えてなる男性用尿パッド１ａである。
【００２５】
ここで、図１Ａは、本発明の男性用尿パッドの一の実施形態を模式的に示す平面図であり、トップシート側の面を示す図である。また、図１Ｂは、図１Ａに示す男性用尿パッドのＡ−Ａ’断面を模式的に示す断面図であり、図１Ｃは、図１Ａに示す男性用尿パッドの斜視図である。
【００２６】
なお、本発明において、「吸収性本体」とは、図１Ａに示すように、吸収体２２とトップシート１８とバックシート２０とを構成要素として有し、吸収体２２がトップシート１８とバックシート２０との間に挟み込まれた状態で固定され、パッド状に一体化された部材のことをいう。
【００２７】
このように構成された本発明の男性用尿パッド（以下、単に「尿パッド」ということがある）は、吸収性本体の一方の端部側における、トップシートが配置された面側に男性器保持部材が配置された極めて簡素な構成である。また、着用時において尿パッドが男性器からずれ難く、尿漏れを有効に防止することができる。即ち、図１Ａ〜図１Ｃに示すような男性器保持部材３０の窪み３２に男性器の少なくとも一部（例えば、陰茎）が収納された状態で尿パッドを着用することができるため、尿パッドがずれ難くなり、ずれに伴う尿漏れを有効に防止することができる。例えば、尿パッドを着用中に男性器が動いたとしても、男性器保持部材３０の窪み３２に男性器の一部が収納されているため、男性器の動きに尿パッドが追従し、排尿口が尿パッドから外れてしまうような不具合を有効に回避することができる。
【００２８】
本発明の男性用尿パッドは、例えば、日常生活を営む男性が軽度の失禁対策用の男性用尿パッドとして好適に用いることができる。従来の男性用尿パッドは、大きく嵩張るため、日常生活を営む男性が軽度の失禁対策として携帯して用いるのに適しておらず、また、携帯時に尿パッドを使用又は交換する場合には、トイレ等の狭い個室での装着を余儀なくされるため、装着が困難となっていた。本発明の男性用尿パッドは、上記したように男性器保持部材の窪みに男性器の一部を納めることで位置ずれし難くなっているため、従来の尿パッドのように位置ずれを想定して吸収性本体を過剰に大きく設計する必要がなく、吸収性本体の大きさを小さくすることができ、男性用尿パッドの小型化が可能である。このため、外出先等への携帯にも非常に便利であり、また、トイレ等の狭い個室でも容易に装着することができる。また、男性用尿パッドを装着する際には、男性器保持部材の窪みが着用時の目印となるため、男性用尿パッドの裏表や上下等の装着間違いを有効に防止することができる。
【００２９】
本発明の男性用尿パッドの男性器保持部材に形成された窪みの、吸収性本体の長手方向に直交する幅方向に沿って切断した断面における形状については特に制限はなく、上記窪みに男性器の一部、例えば、陰茎を収納して、男性用尿パッドの位置ずれを防止することができるものであればよい。例えば、図１Ａ〜図１Ｃに示す男性用尿パッドにおいては、窪みの幅方向に沿って切断した断面における形状が、円弧状の場合の例を示している。
【００３０】
例えば、上述した窪みの幅方向に沿って切断した断面におけるその他の形状としては、図２に示すように、径の異なる円弧又は楕円弧を、窪み３２の底部３３に向かって二つ組み合わせた形状（例えば、鏡餅を逆さ向きにしたような形状）を挙げることができる。なお、図２に示す男性用尿パッド１ｂにおいては、この窪み３２の底部３３側の円弧又は楕円弧の径が、窪み３２の開口部３４側の円弧又は楕円弧の径よりも小となるように構成されている。例えば、男性器は個人差により大きさが異なるため、図２に示すような形状とすることにより、男性器が比較的に大きい着用者の場合は、開口部３４側の円弧又は楕円弧によって形成される窪み３２にて男性器を固定（収納）し、男性器が比較的に小さい着用者の場合は、底部３３側の円弧又は楕円弧によって形成される窪み３２にて男性器を固定（収納）することができる。
【００３１】
また、本発明の男性用尿パッドにおいては、図１Ａ〜図１Ｃに示すように、男性器保持部材３０に形成された窪み３２が、吸収性本体１４の長手方向に沿って溝状に形成されたものであることが好ましい。このように構成することによって、窪みによって形成された溝に沿って陰茎を配置して、男性器を固定し易くすることができる。
【００３２】
また、上記したように、窪みが溝状に形成されたものである場合には、例えば、図３に示すように、この窪み３２が、吸収性本体１４の長手方向に沿って、窪み３２の底部３３にて男性器保持部材３０を二つに分断するものであってもよい。このように構成することによって、吸収性本体１４を、その長手方向に沿って二つ折りに折り曲げることができ、男性用尿パッド１ｃを携帯して容易に持ち歩くことができるようにすることができる。
【００３３】
また、上記したように男性器保持部材が二つに分断されていなくとも、例えば、図４に示す男性用尿パッド１ｄのように、男性器保持部材３０に形成された窪み３２は、窪み３２の底部３３に、吸収性本体１４の長手方向に直交する幅方向に沿って切断した断面における形状がＶ字型の溝３５が更に形成されていてもよい。このＶ字型の溝３５に沿って吸収性本体１４の長手方向に沿って二つ折りに折り曲げることができ、男性用尿パッド１ｄをコンパクトに携帯することができる。
【００３４】
ここで、図２〜図４は、本発明の男性用尿パッドの他の実施形態を模式的に示す断面図である。なお、図２〜図４においては、図１Ｂに示す断面と同様の断面を示している。また、図２〜図４に示す男性用尿パッドにおいて、図１Ｂに示す男性用尿パッド１ａの各要素と同様に構成されているものについては、同一の符号を付して説明を省略する。
【００３５】
また、本発明の男性用尿パッドは、個々の男性用尿パッドを携帯して、例えば、外出時等において使用又は交換を行うことができるように、個別包装されたものであることが好ましい。これにより、日常生活を営む男性が軽度の失禁対策用の尿パッドとして好適に用いることができる。
【００３６】
個別包装用の包装袋は、男性用尿パッドを個別に包装することが可能なものであれば特に制限はないが、例えば、シート部材からなり、その一端に開口部を有する包装袋本体と、この包装袋本体の一端近傍の内面に開口部を開閉するように配置された雄ファスナー片及び雌ファスナー片からなる開閉ファスナーと、を備えたファスナー開閉式の包装袋を好適例として挙げることができる。
【００３７】
このようなファスナー開閉式の包装袋は、開封が容易であり、包装袋から男性用尿パッドを簡単に取り出すことができるとともに、例えば、外出先で男性用尿パッドの交換を行った際に、交換済みの男性用尿パッドをこの包装袋に収納して、外出先から持ち帰ることができる。このため、交換済みの男性用尿パッドを廃棄することができない場所であっても、気軽に男性用尿パッドの交換を行うことができる。
【００３８】
包装袋を構成するシート部材の材質については特に制限はないが、例えば、トイレ等での交換時に音がして他の人に知られることのないように、不織布、或いはクロスライク（紙クロス）素材を好適例として挙げることができる。また、非通液性素材によって包装袋本体を形成することによって、交換済みの男性用尿パッドを包装袋の入れて持ち帰る場合に、液体の漏洩を防止することができる。更に、中身が見えないように非透明の材質で形成されていることが好ましい。
【００３９】
なお、本発明の男性用尿パッドを個別包装する場合には、上記したファスナー開閉式の包装袋に限定されることはなく、例えば、一枚の包装用のシート部材を用いて、このシート部材上に男性用尿パッドを載置し、男性用尿パッドの両側縁よりも外側に張り出したシート部材の両側縁部を男性用尿パッド上に折り返し、このシート部材の互いの折り返し部分の一部を男性用尿パッド上にて接合することによって包装することもできる。シート部材の両側縁部の折り返し部分については、例えば、粘着性を有する開封テープによって封止することができる。
【００４０】
また、本発明の男性用尿パッドに用いられる吸収性本体は、消臭機能を有するもの、例えば、消臭剤を含有するものであることが好ましい。これまでに説明したように、本発明の男性用尿パッドは携帯に適したものであり、外出先等において現在使用している男性用尿パッドを、携帯している新しい男性用尿パッドと容易に交換することができるものであるが、例えば、男性用尿パッドを交換した後、使用済みの男性用尿パッドをその場で廃棄することができない場合には、新しい男性用尿パッドが包装されていた包装袋等に使用済みの男性用尿パッドを収納して持ち帰る必要が生じる場合がある。上記したように、吸収性本体が消臭剤を含有するものであれば、使用済みの男性用尿パッドを一時的に携帯していたとして、消臭剤によって臭いが消されるため、安心して携帯する（即ち、持ち帰る）ことができる。また、男性用尿パッドを使用している状態においても消臭剤によって臭いが消されるため、臭いを気にせずに男性用尿パッドを使用するができる。
【００４１】
吸収性本体に消臭機能を付与する際には、例えば、粉体の消臭剤を吸収性本体に含有させることによって実現することができる。具体的に方法としては、ゼオライト、活性炭、木炭、シリカゲル、活性アルミナ、シクロデキストリン等の消臭機能のある材料（消臭剤）を、吸収体のパルプに混合させる方法や、シート部材に上記消臭剤を担持させ、このシート部材を吸収性本体に配置する方法等を挙げることができる。また、吸水性樹脂に消臭機能を付与してもよい。例えば、吸水樹脂とゼオライトかならなる吸収性樹脂組成物、吸水樹脂と抗菌性ゼオライトからなる吸水性樹脂組成物等を用いてもよい。
【００４２】
また、包装袋の内部に、上記した消臭剤が配置されていてもよい。このように構成することによって、交換済みの尿パッドを持ち帰る場合に、消臭剤によって臭いが消されるため、安心して携帯する（即ち、持ち帰る）ことができる。
【００４３】
また、図５に示すように、本発明の男性用尿パッド１ｅは、男性器保持部材３０の窪み３２が形成された部位以外の表面３０ｘが、平坦に構成されていることが好ましい。このように構成することによって、男性器保持部材３０の厚みが薄くなり、着用者の身体と男性用尿パッド１ｅ（特に、男性器保持部材３０）との間に隙間ができ難くなり、男性用尿パッド１ｅのフィット性を更に向上させることができる。
【００４４】
また、本発明の男性用尿パッドを構成する吸収性本体は、例えば、図６に示すように、吸収性本体１４の長手方向に直交する幅方向における長さが、男性器保持部材３０の前記幅方向における長さよりも大であってもよい。このように構成された男性用尿パッド１ｆは、男性器保持部材３０の側縁側に、吸収性本体１４がはみ出して配置されるため、身体との接触面積が増えることとなり、男性用尿パッドが外側に位置するパンツ型おむつや下着等のアウターの中でずれ難く安定し易くなる。また、吸収性本体を大きく配置できることから、尿量に対して十分な吸収量を確保させ易いため漏れ難いものとすることができる。
【００４５】
ここで、図５及び図６は、本発明の男性用尿パッドの更に他の実施形態を模式的に示す断面図である。なお、図２〜図４においては、図１Ｂに示す断面と同様の断面を示している。また、図５及び図６に示す男性用尿パッドにおいて、図１Ｂに示す男性用尿パッド１ａの各要素と同様に構成されているものについては、同一の符号を付して説明を省略する。
【００４６】
また、上記したように吸収性本体の長手方向に直交する幅方向における長さが、男性器保持部材の幅方向における長さよりも大である場合には、図７に示す男性用尿パッド１ｇのように、男性器保持部材３０よりも幅広に構成された吸収性本体１４の側縁部分が、男性器保持部材３０の側縁の少なくとも一部を覆うように折り返されていることが好ましい。このように構成することによって、吸収性本体１４が、トップシート１８が配置された面側に凹状の空間３６を形成するように湾曲するため、男性用尿パッド１ｇを装着した際のフィット性をより向上させることができる。また、吸収性本体１４の側縁部分が折り返されるため、吸収性本体１４の側縁に堰が形成され、男性用尿パッド１ｇの側縁側からの尿漏れを有効に防止することができる。
【００４７】
また、本発明の男性用尿パッドは、図７に示すように、吸収性本体１４が、男性器保持部材３０が配置された一方の端部２４とは反対側の他方の端部２６において、吸収性本体１４の側縁部分の一部がトップシート１８が配置された面側に折り返され、その折り返し部分が接合されていてもよい（接合部３７）。これにより、吸収性本体１４の他方の端部２６においても、トップシート１８が配置された面側に凹状の空間３６を形成するように湾曲するため、男性用尿パッド１ｇを装着した際のフィット性をより向上させることができる。なお、折り返し部分の接合については、例えば、ヒートシール、ホットメルト、粘着剤等によって接合することができる。
【００４８】
ここで、図７は、本発明の男性用尿パッドの更に他の実施形態を模式的に示す斜視図である。また、図７に示す男性用尿パッドにおいて、図１Ｃに示す男性用尿パッド１ａの各要素と同様に構成されているものについては、同一の符号を付して説明を省略する。
【００４９】
また、本発明の男性用尿パッドにおいては、例えば、図８に示すように、吸収性本体１４が、男性器保持部材３０が配置された一方の端部２４とは反対側の他方の端部２６において、吸収性本体１４の一部を重なり合わせて、トップシート１８が配置された面側に凹状の空間３６を形成してもよい。このように構成することによって、男性用尿パッド１ｈを装着した際のフィット性を向上させることができる。
【００５０】
図８に示すように、吸収性本体１４の一部を重なり合わせる場合には、例えば、他方の端部側に長手方向に切れ目を入れて、切れ目部分をずらして重ね合わせた状態で接合することや、長手方向に折り目を入れて肌面側同士の一部が向かい合うように重ね合わせた状態で接合することによって実現することができる。
【００５１】
ここで、図８は、本発明の男性用尿パッドの更に他の実施形態を模式的に示す斜視図である。また、図８に示す男性用尿パッドにおいて、図１Ｃに示す男性用尿パッド１ａの各要素と同様に構成されているものについては、同一の符号を付して説明を省略する。
【００５２】
以下、本発明の男性用尿パッドを構成する各構成要素について更に具体的に説明する。
【００５３】
〔１−１〕吸収体：
吸収体は、着用者の尿を吸収し、保持するための部材である。吸収体は、着用者の尿や体液を吸収し保持する必要から、吸収性材料によって構成される。
【００５４】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として、熱融着繊維等の合成繊維を含んだものであってもよい。
【００５５】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００５６】
吸収体は、トップシートとバックシートの間の少なくとも一部に介装されることが好ましい。通常、吸収体は、トップシートとバックシートの間に挟み込まれ、その周縁部が封着されることによって、トップシートとバックシートの間に介装される。従って、吸収体の周縁部にはトップシートとバックシートの間に吸収体が介装されていないフラップ部が形成されることになる。
【００５７】
吸収体は、その全体が親水性シートによって包み込まれていることが好ましい。このような構成は、吸収体からＳＡＰが漏洩することを防止し、吸収体に形状安定性を付与することができるという利点がある。
【００５８】
吸収体の形状については特に制限はないが、吸収性本体の外縁側に、トップシートとバックシートによって形成されたフラップ部が均一の幅で形成されるように、吸収性本体の形状に対応したものであることが好ましい。
【００５９】
なお、吸収体には、その一方の表面側に（例えば、吸収体とトップシートとの間に）、尿を拡散させるためのシート（セカンドシート）を付帯的に配置してもよい。このセカンドシートを付設すると、排尿量が多い場合や複数回の排尿により吸収体に多くの尿が吸収された状態で更に排尿があった場合などでも、尿の吸収速度が低下し難く、吸収速度の低下による尿の漏れを防止することが可能となる。
【００６０】
セカンドシートを構成する材料としては、親水性で液透過性の材料、例えば、織布、不織布、多孔性プラスチック、フラッフパルプ等を挙げることができる。これらの構成素材としては、ポリプロピレン、ポリエチレン、ポリエステル、レーヨン、パルプ、或いはこれらの複合繊維等を挙げることができる。パルプとしては、カーリーセルロースファイバー等のけん縮繊維を好適に用いることができる。
【００６１】
〔１−２〕トップシート：
トップシートは、吸収体の一方の表面（男性用尿パッドを装着した際に、着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。通常、少なくとも吸収体の表面近傍については、着用者の尿を透過させ得る液透過性の材料によって構成される。少なくとも一部が液透過性材料により構成されている限り、必ずしもトップシート全体が液透過性材料で構成されている必要はない。
【００６２】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。不織布の種類についても特に制限はなく、エアスルー（カード熱風）、カードエンボス、スパンボンド等の各種製法によって製造された従来公知の不織布を好適に用いることができる。また、トップシートは単一のシート材によって構成されていてもよいが、複数のシート材によって構成されていてもよい。
【００６３】
〔１−３〕バックシート：
バックシートは、吸収体の他方の表面（男性用尿パッドを装着した際に、着用者の着衣側に位置する面）を被覆するように配置されるシートである。バックシートは、着用者の尿が男性用尿パッドの外部に漏洩してしまうことを防止する必要から、液不透過性材料によって構成される。
【００６４】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、男性用尿パッドの内部の蒸れを防止することができるという利点がある。
【００６５】
また、バックシートは、例えば、液不透過性フィルムに不織布を貼り付けたフィルム（例えば、クロスライクフィルム）からなるものも好適に用いることができる。このような素材のフィルムをバックシートとして用いることによって、男性用尿パッドの端部がめくれてしまった場合であっても、着用者のスキントラブルを有効に防止することができる。吸収性本体は、バックシートが配置された面側に接着部が配置されていてもよい。この接着部は衣類やおむつに男性用尿パッドを着脱可能に接着させて固定するためのものである。このような接着部を配置することによって、装着後に男性用尿パッドの位置がずれてしまうことを防止することができる。装着部としては、粘着テープ、メカニカルファスナー、ホットメルトなどを挙げることができる。
【００６６】
〔１−４〕吸収性本体：
本発明の男性用尿パッドにおいては、トップシート、バックシート及び吸収体を、吸収・保持機能を担う「吸収性本体」という一つの部材として構成している。
【００６７】
この吸収性本体は、吸収体の一方の表面（男性用尿パッドを装着した際に、着用者の肌側に位置する面）側にトップシート、他の表面（男性用尿パッドを装着した際に、着用者の着衣側に位置する面）側にバックシートが配置されたものであり、トップシートとバックシートとの間に吸収体が介装された構造となっている。
【００６８】
また、本発明の男性用尿パッドを日常生活を営む軽度の失禁者（男性着用者）用として用いる場合には、男性用尿パッドが大量の吸収量を必要としないため、軽度の失禁により下着を汚さない程度の吸収量を有していればよく、男性用尿パッドが男性器全体を覆わずに、男性器の排尿口近傍に宛がうことができる程度の大きさのものとしてもよい。
【００６９】
吸収性本体の形状としては、矩形であってもよいが、逆三角形、Ｔ字型、半円形、半楕円形などの形状の方が股下側が細くなり着用感がよくなることから好ましい。
【００７０】
〔１−５〕男性器保持部材：
男性器保持部材は、その表面に着用者の男性器の少なくとも一部を収納して保持する窪みが形成されたものであり、吸収性本体の一方の端部側における、トップシートが配置された面側に配置され、窪みに男性器の少なくとも一部（例えば、陰茎）を収納した状態で尿パッドを着用することができる。これにより、男性器の動きに尿パッドが追従するため、排尿口が尿パッドから外れてしまうような不具合を有効に回避することができる。なお、この男性器保持部材が配置される吸収性本体の一方の端部側が、着用時における身体上方側となる。
【００７１】
男性器保持部材は、男性器（例えば、陰茎）を収納するための窪みが形成されたものであるため、所定の厚みを有している。男性器保持部材の厚みについては特に制限はないが、上記窪みに陰茎を収納して保持することができるように、例えば、１０〜５０ｍｍの厚みを有するものであることが好ましく、２０〜４０ｍｍの厚みを有するものであることが好ましい。例えば、男性器保持部材の厚みが１０ｍｍ未満であると、男性器を収納するのに十分な深さの窪みを形成することができないことがあり、一方、５０ｍｍを超えると、男性器保持部材が厚くなり過ぎて、吸収性本体と着用者との間に隙間ができ易くなり、男性用尿パッドから尿漏れを生じやすくなることがあり、また非常に嵩張るので着用感が悪いものになることがある。
【００７２】
男性器保持部材の裏面側（窪みが形成された面とは反対側の面側）は、吸収性本体のトップシートと接合されている。男性器保持部材の裏面側は平坦に形成されていてもよいが、例えば、図１Ｂに示すように、男性器保持部材３０の裏面側の幅方向中央部分が突出するように湾曲した曲面によって形成されていてもよい。このように構成することによって、吸収性本体１４が、男性器保持部材３０の裏面側の形状に沿って、トップシート１８が配置された面側に凹状の空間を形成するように湾曲するため、男性用尿パッド１ａを装着した際のフィット性をより向上させることができる。
【００７３】
また、図１Ａに示すように、男性器保持部材３０は、男性器保持部材３０の吸収性本体１４の長手方向における長さＬ１が、１０〜５０ｍｍであることが好ましい。このように構成することによって、男性器をきちんと保持することができ、男性器の先端からの排尿を確実に吸収性本体上に行うことができることとなる。なお、上記男性器保持部材３０の長さＬ１が１０ｍｍ未満であると、男性器を保持する部分が短すぎて男性器の先端の自由度が大きくなるので、男性器の先端を確実に吸収性本体上に位置させることができないことがあり、５０ｍｍ超であると、男性器保持部材が非常に嵩張るので着用感の悪いものになることがある。
【００７４】
男性器保持部材は、例えば、フェルト、ウレタンフォーム、発泡スチロール、エアレイド不織布、ポリエチレン系樹脂等の樹脂、等の材料からなるものによって形成することができる。
【００７５】
また、男性器保持部材に形成される窪みの深さは、男性用尿パッドを装着した際に、陰茎を窪みに押し当てることによって男性用尿パッドが遊動しない程度の深さを有していればよく、例えば、特に限定されることはないが、窪みの深さが１０〜４０ｍｍであることが好ましく、１５〜３０ｍｍであることが更に好ましい。
【００７６】
また、男性器保持部材の厚みは股下方向に向かって異なっていてもよい。例えば、男性器保持部分の窪みの深みは保持しながら、股下方向に向かって男性保持部材が薄くなるように傾斜されている場合は、男性用尿パッド全体としては股下方向にかけて薄くすることができるので、着用感がよく、また下着等のアウターに響き難いものとなる。
【００７７】
また、吸収性本体の大きさや、窪みの深さが異なる男性用尿パッドを数種類作製し、着用者（使用者）が選択することができるようにしてもよい。例えば、Ｌサイズ、Ｍサイズ、Ｓサイズ等の数種類のサイズの男性用尿パッドを作製し、着用者の体型や、尿パッドを使用する場所等に応じて、サイズを選択することができるようにしてもよい。
【００７８】
〔２〕男性用尿パッドの製造方法：
以下、本発明の男性用尿パッドを製造する方法の一例を、図１Ａに示す男性用尿パッド１ａを製造する場合の例により説明する。
【００７９】
まず、バックシート２０の上面に、親水性シートに包まれた所定形状の吸収体２２を配置し、更にその上面にトップシート１８を配置する。次いで、吸収体２２の周縁部をトップシート１８とバックシート２０とで挟み込むように封着することによって、シート状の吸収性本体１４を得る。
【００８０】
上記した吸収性本体１４とは別に、その表面に着用者の男性器の少なくとも一部を収納して保持する窪み３２が形成された男性器保持部材３０を作製する。このような男性器保持部材３０は、ウレタンフォームのブロックの真ん中に窪みをつけて、長手方向にカットすることによって形成することができる。
【００８１】
次に、得られた男性器保持部材３０を、吸収性本体１４の一方の端部側における、トップシート１８が配置された面側に配置して、図１Ａ〜図１Ｃに示すような男性用尿パッド１ａを作製する。なお、男性器保持部材３０と吸収性本体１４との接合は、例えば、ホットメルト、粘着剤によって行うことができる。
【産業上の利用可能性】
【００８２】
本発明の男性用尿パッドは、失禁対策用の男性用の尿パッドとして利用することが可能である。特に、日常生活を営む男性が軽度の失禁対策として、携帯用の男性用尿パッドとして好適に用いることができる。
【符号の説明】
【００８３】
１ａ，１ｂ，１ｃ，１ｄ，１ｅ，１ｆ，１ｇ，１ｈ：男性用尿パッド、１４：吸収性本体、１８：トップシート、２０：バックシート、２２：吸収体、２４；一方の端部（吸収性本体の一方の端部）、２６：他方の端部（吸収性本体の他方の端部）、３０：男性器保持部材、３０ｘ：表面（男性器保持部材の窪みが形成された部位以外の表面）、３２：窪み、３３：底部（窪みの底部）、３４：開口部（窪みの開口部）、３５：Ｖ字型の溝、３６：凹状の空間、３７：接合部。
【図１Ａ】
2010279553.tif 000003
【図１Ｂ】
2010279553.tif 000004
【図１Ｃ】
2010279553.tif 000005
【図２】
2010279553.tif 000006
【図３】
2010279553.tif 000007
【図４】
2010279553.tif 000008
【図５】
2010279553.tif 000009
【図６】
2010279553.tif 000010
【図７】
2010279553.tif 000011
【図８】
2010279553.tif 000012